(57)【要約】【課題】縦置き状態での持ち運びを可能としながら、掃除機本体１に設けられる差込口６内部の損傷を回避する。【解決手段】掃除機本体１の一側方に設けられる差込口６の側壁６ａと、掃除機本体１の底部１ｂとが、把手部７によって連結されている。これにより、電気掃除機を縦置き状態にしたときには、把手部７が掃除機本体１の上方に位置するようになり、縦置き状態での持ち運びが可能となる。また、把手部７は、接続ホース２側ではなく掃除機本体１側に形成されているので、縦置き状態で掃除機本体１を持ち運びしたときの負荷が、掃除機本体１の差込口６内部にかかることがない。また、把手部７は、掃除機本体１の底部１ｂから差込口６の側壁６ａに向かって湾曲しているので、電気掃除機の使用時に、把手部７が部屋の敷居と衝突しても、衝突時の衝撃が把手部７の湾曲部分で吸収される。【選択図】  図１
2004202077.tif 000002
【特許請求の範囲】
【請求項１】
接続ホースが差し込まれる差込口が掃除機本体の一側方に設けられた電気掃除機であって、
上記掃除機本体は、当該掃除機本体を持ち運ぶための把手部を備えており、
上記把手部は、上記差込口の側壁と、上記掃除機本体の底部とを連結してなっていることを特徴とする電気掃除機。
【請求項２】
上記把手部は、上記掃除機本体の底部から上記差込口の側壁に向かって湾曲して形成されていることを特徴とする請求項１に記載の電気掃除機。
【請求項３】
上記掃除機本体は、
空気を吸引するための電動送風機と、
上記電動送風機によって吸引した空気を、空気導入口を介して内部に導き、旋回させるサイクロン集塵機とを備えており、
上記差込口は、上記掃除機本体において、上記サイクロン集塵機の空気導入口の高さに対応した位置に設けられていることを特徴とする請求項１または２に記載の電気掃除機。
【発明の詳細な説明】
【０００１】
【発明の属する技術分野】
本発明は、電気掃除機に関するものであり、特に、持ち運びの際に使用する把手を備えた電気掃除機に関するものである。
【０００２】
【従来の技術】
従来から、持ち運びの際に手で握ることのできる把手を備えた電気掃除機が種々提案されている（例えば、特許文献１および２参照）。特許文献１の電気掃除機では、図４に示すように、接続ホース１０１における掃除機本体１０２との接続側に把手１０３を設けている。これにより、同図に示すように、電気掃除機が縦置き（いわゆるスタンド収納）の状態であっても、電気掃除機の持ち運びを可能としている。また、特許文献２の電気掃除機では、図５に示すように、接続ホース２０１において掃除機本体２０２の差込口に差し込まれるホース継手部２０１ａに把手２０３を設けるようにしている。これにより、やはり、電気掃除機をスタンド収納したまま持ち運ぶ、あるいは、持ち運んだ際の状態でスタンド収納することが可能となっている。
【０００３】
【特許文献１】
特開平７−３９４８５号公報（１９９５年２月１０日公開）
【特許文献２】
特開２０００−２０１８６６号公報（２０００年７月２５日公開）
【０００４】
【発明が解決しようとする課題】
ところで、接続ホース１０１・２０１は、その被係止部（図示せず）が掃除機本体１０２・２０２の差込口内部の係止部（図示せず）によって係止されることで、掃除機本体１０２・２０２と接続される。
【０００５】
ところが、特許文献１および２の電気掃除機では、いずれも、接続ホース１０１・２０１に把手１０３・２０３を設けているため、この把手１０３・２０３を持って掃除機本体１０２・２０２をスタンド収納状態で持ち運びすると、掃除機本体１０２・２０２の重さ分だけ、その負荷が、差込口内部の係止部および被係止部に直接かかる。このため、電気掃除機の持ち運びを繰り返すと、差込口内部の係止部および被係止部が損傷しやすくなるという問題が生ずる。
【０００６】
本発明は、上記の問題点を解決するためになされたものであり、その目的は、縦置き状態での持ち運びを可能としながら、接続ホースと接続される掃除機本体の差込口内部の損傷を回避することができる電気掃除機を提供することにある。
【０００７】
【課題を解決するための手段】
本発明によれば、掃除機本体の一側方（横置き状態で例えば掃除機本体前方）に設けられ、接続ホースが差し込まれる差込口の側壁と、掃除機本体の底部とが連結されて把手部が構成されている。これにより、電気掃除機を縦置き状態にしたときには、上記側方に形成された把手部が掃除機本体上方に位置することになるので、使用者は電気掃除機の縦置き状態でも把手部を容易に握ることが可能となり、把手部を握って電気掃除機をその状態のまま運搬することが可能となる。
【０００８】
また、把手部は、掃除機本体に設けられる差込口と、掃除機本体の底部とを連結したものであり、接続ホース側ではなく、掃除機本体側に設けられている。これにより、把手部を握って電気掃除機を縦置き状態にして運搬する場合でも、掃除機本体の重さ分の負荷は、当該把手部および差込口の側壁にかかるのみで、差込口内部の接続部（例えば接続ホース側の被係止部および掃除機本体側の係止部）には全くかからない。したがって、差込口内部の損傷を確実に防止することができる。
【０００９】
【発明の実施の形態】
本発明の実施の一形態について、図１ないし図３に基づいて説明すれば、以下の通りである。図２は、本発明の電気掃除機の概略の構成を示している。本発明の電気掃除機は、掃除機本体１と、接続ホース２と、吸込口体３とを備えている。
【００１０】
掃除機本体１は、電動送風機４と、サイクロン集塵機５とを収容している。電動送風機４は、吸込口体３、接続ホース２およびサイクロン集塵機５を介して空気を吸引するものである。サイクロン集塵機５は、電動送風機４によって吸引された空気を、後述する空気導入口５ｅ（図１参照）を介して内部に導き、旋回させるものであり、掃除機本体１に対して、例えばポップアップ動作により、上下方向に着脱可能に設けられている。
【００１１】
接続ホース２は、吸込口体３から吸引された空気を掃除機本体１に供給するための供給路を構成するホースであり、その一端には、掃除機本体１の後述する差込口６の係止部によって係止される被係止部が形成されている。一方、接続ホース２の他端は、吸込口体３との接続部となっている。吸込口体３は、電動送風機４の運転により、空気吸込口（図示しない）を介して空気を吸引する。
【００１２】
次に、上記したサイクロン集塵機５について、図１に基づいて説明する。図１は、掃除機本体１の縦断面図を示している。サイクロン集塵機５は、サイクロン集塵室５ａと、ダストカップ５ｂと、排気筒５ｃと、空気排出口５ｄとを有している。
【００１３】
サイクロン集塵室５ａは、接続ホース２から供給される空気を高速旋回させ、上記空気に含まれる塵埃を遠心分離するための部屋であり、その側壁（ダストカップ５ｂ）には、接続ホース２から供給される空気をサイクロン集塵室５ａの内部に導入するための空気導入口５ｅが開口されている。空気導入口５ｅは、差込口６における接続ホース２の差込側とは反対側に形成された開口部と、接続用パッキン８を介して密接に連結される。
【００１４】
ダストカップ５ｂは、サイクロン集塵室５ａでの高速旋回により空気から分離された塵埃を集積するものである。排気筒５ｃは、塵埃が分離された後の空気をサイクロン集塵室５ａから外部に排出するための筒であり、その周面には複数の開口部が形成されている。また、それらの開口部は、上記空気に含まれる細かい塵埃を除去するためのメッシュ状のフィルタにて被覆されている。空気排出口５ｄは、排気筒５ｃから排出される空気をサイクロン集塵機５外部に排出するための排出口である。
【００１５】
上記の構成において、掃除機本体１に収容された電動送風機４が駆動されると、吸込口体３の空気吸込口より空気が吸引され、その空気が、接続ホース２を介してサイクロン集塵機５に送られる。上記空気は、サイクロン集塵機５の空気導入口５ｅを介して、サイクロン集塵室５ａに送られ、そこで、空気中に含まれる塵埃が遠心分離され、サイクロン集塵室５ａの下部でダストカップ５ｂに集積される。一方、塵埃の除去された空気は、その後、排気筒５ｃ、空気排出口５ｄおよび電動送風機４を介して掃除機本体１に設けられた排出口（図示せず）より、機外に排出される。すなわち、接続ホース２を介して掃除機本体１に供給される空気は、掃除機本体１内で図１中の矢印で示す経路をたどる。
【００１６】
ダストカップ５ｂに集積された塵埃（ゴミ）を捨てる場合には、サイクロン集塵機５を掃除機本体１からポップアップさせ、サイクロン集塵機５からダストカップ５ｂを分離することで、ダストカップ５ｂの中身のゴミを捨てることができる。
【００１７】
なお、本実施形態では、サイクロン集塵機５のダストカップ５ｂがむき出しとなるように、掃除機本体１の側面に開口部が形成されている。これにより、サイクロン集塵機５を掃除機本体１から取り出さなくても、上記開口部を介してダストカップ５ｂを視認することができる。したがって、ダストカップ５ｂを例えば半透明材料で構成すれば、サイクロン集塵機５を掃除機本体１に収容したまま、ダストカップ５ｂの中身のゴミの溜まり具合いを上記開口部を介して把握することができる。
【００１８】
次に、本発明の特徴部分である把手部７について説明する前に、掃除機本体１の差込口６について、図１に基づいて説明する。
【００１９】
掃除機本体１は、接続ホース２が差し込まれる差込口６を有している。この差込口６は、本実施形態では、掃除機本体１の横置き状態（掃除機使用状態）において、接続ホース２の差込方向が床面と水平となるように、掃除機本体１の前面１ａから突出して設けられている。つまり、差込口６は、電気掃除機（掃除機本体１）の横置き状態において掃除機本体１の一側方（本実施形態では前方）に設けられている。なお、差込口６は、接続ホース２の差込方向が床面に対して若干傾斜するように設けられていても構わない。
【００２０】
差込口６が上記のように掃除機本体１の前面１ａから突出して設けられていることにより、差込口６には、その周面である側壁６ａが形成されることになる。また、差込口６内部には、接続ホース２の被係止部（図示せず）を係止する係止部（図示せず）が形成されている。
【００２１】
なお、差込口６に側壁６ａが形成されるのであれば、差込口６の全部が掃除機本体１の前面１ａから突出してなくてもよい。例えば、掃除機本体１の前面１ａにおける差込口６よりも上方に位置する部分が、差込口６の接続ホース２の差込側に位置し、前面１ａにおける差込口６よりも下方に位置する部分が、差込口６の根元部分に位置するように、差込口６を形成するようにしてもよい。この場合には、差込口６の下半分に側壁６ａが形成されることになる。
【００２２】
また、差込口６は、掃除機本体１において、サイクロン集塵機５の空気導入口５ｅの高さに対応した位置に設けられている。空気導入口５ｅの高さに対応した位置とは、接続ホース２から供給される空気が、ほぼ水平方向に進行して空気導入口５ｅに供給されるような差込口６の高さ位置を指している。
【００２３】
サイクロン集塵機５は、上述の通り、遠心分離によって空気中から塵埃を除去し、その塵埃をサイクロン集塵室５ａの下部のダストカップ５ｂ内で集積するものであるため、空気導入口５ｅは、その設計上、サイクロン集塵機５において掃除機本体１の底部１ｂ（横置き状態における床面との対向部分）よりも比較的高い位置に形成されている。
【００２４】
したがって、差込口６をサイクロン集塵機５の空気導入口５ｅの高さに対応した位置に形成することにより、差込口６の設置位置を床面から比較的高い位置とすることができる。これにより、電気掃除機の使用時に、差込口６が段差の高い敷居（例えば５ｃｍの高さの敷居）と衝突して、差込口６および敷居が破損するのを防止することができる。また、後述する把手部７の上下方向（床面に対して垂直方向）の長さをかせぐこともでき、把手部７が握りやすくなるという利点もある。
【００２５】
次に、本発明の特徴部分である把手部７について、図１および図３に基づいて説明する。図３は、掃除機本体１の把手部７の周辺を拡大して示した縦断面図である。
【００２６】
掃除機本体１には、当該掃除機本体１を持ち運ぶための把手部７が設けられている。この把手部７は、掃除機本体１の一側方に設けられた上記差込口６の側壁６ａと、掃除機本体１の底部１ｂとを連結してなっている。より具体的には、把手部７は、掃除機本体１の底部１ｂから、掃除機本体１の差込口６の側壁６ａに向かって、つまり、上方に向かって、放物線を描くように湾曲して形成されている。
【００２７】
このように、把手部７が掃除機本体１の側方に形成されていることにより、電気掃除機を縦置き状態（スタンド収納の状態）にしたときには、把手部７が掃除機本体１の上方に位置するようになる。これにより、使用者は電気掃除機の縦置き状態でも把手部７を容易に握ることができ、また、把手部７を握って電気掃除機を縦置き状態のまま持ち運びすることができる。
【００２８】
しかも、把手部７は、差込口６の側壁６ａと掃除機本体１の底部１ｂとを連結してなっているため、側壁６ａと床面との間の空間に把手部７が位置することとなっている。上記空間は、差込口６の存在によって、元々、把手部７があってもなくても存在する空間なので、そのような空間内に把手部７を位置させても、掃除機本体１が全体として大型化することはない。つまり、把手部７は掃除機本体１の前後左右にはみ出して形成されるものではないので、把手部７を形成することで、掃除機本体１のサイズが大きくなることはない。このように、本発明の把手部７の設け方は、差込口６の存在によって元々存在する空間を有効利用しながら、掃除機本体１の大型化を回避するものである。
【００２９】
また、本発明は、差込口６の側壁６ａと掃除機本体１の底部１ｂとを連結することで、把手部７を形成した構成であり、把手部７は、接続ホース２側ではなく掃除機本体１側に形成されている。これにより、把手部７を握って電気掃除機を縦置き状態にして持ち運ぶ場合でも、掃除機本体１の重さ分の負荷は、把手部７または差込口６の側壁６ａにかかるのみで、差込口６内部の接続部（例えば接続ホース２側の被係止部および掃除機本体１側の係止部）には全くかからない。したがって、差込口６内部の損傷を確実に防止することができる。
【００３０】
つまり、本発明によれば、差込口６と把手部７と掃除機本体１とを一体的に構成することで、掃除機本体１を大型化させることなく、電気掃除機のスタンド収納状態での持ち運びの利便性と、差込口６内部の破損防止とを両方満足させる電気掃除機を提供することができると言える。
【００３１】
また、把手部７は、掃除機本体１の底部１ｂから差込口６の側壁６ａに向かって湾曲して形成されているので、電気掃除機の使用時に、把手部７が部屋の敷居と衝突しても、衝突時の衝撃が把手部７の湾曲部分で吸収される。したがって、把手部７と敷居とのそれぞれにおいて、衝突時の損傷を軽減することができる。
【００３２】
また、把手部７を上記のように湾曲して形成することにより、把手部７を握りやすくすることができる。また、上記湾曲形状により、把手部７、側壁６ａ、掃除機本体１の前面１ａとで囲まれる空間が形成されるので、上記空間に手を入れて把手部７を容易に握ることが可能となる。
【００３３】
【発明の効果】
本発明によれば、掃除機本体の一側方に形成される差込口の側壁と、掃除機本体の底部とが連結されて把手部が構成されているので、電気掃除機を縦置き状態にしたときには、上記側方に形成された把手部が掃除機本体上方に位置することになる。これにより、使用者は電気掃除機の縦置き状態でも把手部を容易に握ることが可能となり、把手部を握って電気掃除機をその状態のまま運搬することが可能となる。
【００３４】
また、把手部は、掃除機本体に設けられる差込口と、掃除機本体の底部とを連結したものであり、接続ホース側ではなく、掃除機本体側に設けられている。これにより、把手部を握って電気掃除機を縦置き状態にして運搬する場合でも、掃除機本体の重さ分の負荷は、当該把手部または差込口の側壁にかかるのみで、差込口内部の係止部および被係止部には全くかからない。したがって、差込口内部の損傷を確実に防止することができるという効果を奏する。
【図面の簡単な説明】
【図１】本発明の実施の一形態における電気掃除機の掃除機本体の概略の構成を示す断面図である。
【図２】上記電気掃除機の概略の構成を示す斜視図である。
【図３】上記掃除機本体の把手部周辺を拡大して示す断面図である。
【図４】従来の電気掃除機の概略の構成を示す斜視図である。
【図５】従来の他の電気掃除機の概略の構成を示す斜視図である。
【符号の説明】
１    掃除機本体
１ｂ  底部
２    接続ホース
４    電動送風機
５    サイクロン集塵機
５ｅ  空気導入口
６    差込口
６ａ  側壁
７    把手部
【図１】
2004202077.tif 000003
【図２】
2004202077.tif 000004
【図３】
2004202077.tif 000005
【図４】
2004202077.tif 000006
【図５】
2004202077.tif 000007